(57)【特許請求の範囲】
【請求項１】
溶融炉から取り出され円形台座上に載せられたキャニスタを搬送するコンベヤの両側にはコンベヤに沿ってガイドが設けられ、このガイドにガイドされつつこのコンベヤの両側において長手方向に往復可能に走行できる台車を設け、この台車上には、前記台座を両側から挟持可能な一対の台座クランプを設けるとともに、この台座クランプに立設した柱上部には、キャニスタを両側から挟んでキャニスタの転倒を防止する転倒防止アームを設けて、前記台座クランプと転倒防止アームとを同時に開閉可能とし、かつキャニスタに追従して前記台車を長手方向に移動できるようにしたことを特徴とするキャニスタの転倒防止装置。
【請求項２】
台車がクラッチ付きの自走モータを備えたものである請求項１記載のキャニスタの転倒防止装置。
【請求項３】
キャニスタをコンベヤと溶融炉との間で昇降させる昇降装置の周囲にも、キャニスタの転倒を防止するガイドを設けた請求項１記載のキャニスタの転倒防止装置。
【発明の詳細な説明】
【０００１】
【発明の属する技術分野】
本発明は、放射性雑固体廃棄物の溶融炉の付帯設備として用いられるキャニスタの転倒防止装置に関するものである。
【０００２】
【従来の技術】
原子力発電所等の原子力設備から発生する放射性雑固体廃棄物のうち焼却できないもののほとんどは、溶融炉で溶融することにより減容処理されている。この溶融は通常は耐火物性のキャニスタを用いて行われており、キャニスタのまま冷却固化する場合には、溶融炉から下方に取り出されたキャニスタを、動力駆動式のコンベヤによって冷却室まで搬送している。
【０００３】
ところがこのキャニスタの内部には、１０００℃以上の高温の溶融物が収納されているため、万一搬送中に地震等による振動が加わると、キャニスタが転倒して放射性の溶融物が周囲に飛散する事故が発生する可能性がある。このため従来からコンベヤの両側には転倒防止用のガイドレールが設置されているが、コンベヤの長手方向については転倒防止用のガイドレールを設けることは不可能であるため、キャニスタがコンベヤの長手方向に転倒する可能性はゼロではなかった。
【０００４】
【発明が解決しようとする課題】
本発明は上記した従来の問題点を解決して、溶融物を収納したキャニスタがコンベヤ上で転倒することを確実に防止できるキャニスタの転倒防止装置を提供するためになされたものである。
【０００５】
【課題を解決するための手段】
上記の課題を解決するためになされた本発明のキャニスタの転倒防止装置は、溶融炉から取り出され円形台座上に載せられたキャニスタを搬送するコンベヤの両側にはコンベヤに沿ってガイドが設けられ、このガイドにガイドされつつこのコンベヤの両側においてキャニスタに追従して長手方向に移動できる台車を設け、この台車上には、前記台座を両側から挟持可能な一対の台座クランプを設けるとともに、この台座クランプに立設した柱上部には、キャニスタを両側から挟んでキャニスタの転倒を防止する転倒防止アームを設けて、前記台座クランプと転倒防止アームとを同時に開閉可能としたことを特徴とするものである。また、台車をクラッチ付きの自走モータを備えたものとし、キャニスタとともに目的位置まで移動した後は、自走して待機位置まで戻れるようにしておくことが好ましい。更にキャニスタをコンベヤと溶融炉との間で昇降させる昇降装置の周囲にも、キャニスタの転倒を防止するガイドを設けておくことが好ましい。
【０００６】
本発明のキャニスタの転倒防止装置は、円形台座上に載せられたキャニスタを搬送するコンベヤに沿って設けられたガイドにガイドされつつ走行できる台車上に、前記台座を両側から挟持可能な一対の台座クランプを設けるとともに、この台座クランプに立設した柱上部には、キャニスタを両側から挟んでキャニスタの転倒を防止する転倒防止アームを立設したものであるから、この台車をキャニスタとともに移動させることにより、キャニスタの転倒をコンベヤの長手方向についても確実に防止することができる。
【０００７】
【発明の実施の形態】
以下に本発明の好ましい実施形態を示す。
図１は装置全体の正面図であり、図２はその平面図である。これらの図中、１は雑固体廃棄物の溶融炉、２は溶融物を収納したキャニスタ３を冷却固化するための冷却室である。雑固体廃棄物はキャニスタ３に収納されて溶融炉１の内部で溶融されたのち、図１に示す昇降装置４によりコンベヤ５上に置かれ、冷却室２まで搬送される。なお、６は新しい空のキャニスタ３の供給コンベヤであり、７は冷却室２から取り出された冷却済みのキャニスタ３の排出コンベヤである。図示のように、キャニスタ３は耐火物製のキャニスタ台８を介して金属製の円形の台座９上に支持されている。
【０００８】
このコンベヤ５には、図３〜図５に示される通りの本発明のキャニスタの転倒防止装置が設けられている。この装置は、台車１０上にキャニスタ３を両側から挟む一対の転倒防止アーム１１を立設したものである。この転倒防止アーム１１は柱１２の上端に水平に取り付けられたもので、キャニスタ３の外周面よりもやや大きい曲率半径を持つ凹円弧面を備えている。またこの柱１２の基部には、キャニスタ３の台座９を両側からクランプする台座クランプ１３が設けられている。この台座クランプ１３も台座９の外周面よりもやや大きい曲率半径を持つ凹円弧面を備えている。
【０００９】
台車１０上の両側位置には、それぞれシリンダ１４が内向きに設けられており、上記した転倒防止アーム１１及び台座クランプ１３を柱１２とともに同時に開閉し、図３のようにキャニスタ３及び台座９を両側から挟むことができる。このとき、台座クランプ１３は台座９を両側から確実にクランプするが、キャニスタ３の表面は１０００℃以上の高温であるため、転倒防止アーム１１は閉じた状態でもキャニスタ３に接触させず、もしキャニスタ３が傾いた場合にのみ転倒防止アーム１１と接触するようにしておく。
【００１０】
図３、図５に示すように、コンベヤ５の両側にはガイド２０がコンベヤ５に沿って設けられており、台車１０はこれらのガイド２０にガイドされつつコンベヤ５の長手方向に自由に移動することができる。このため、溶融炉１から取り出されたキャニスタ３の両側から図３のように転倒防止アーム１１及び台座クランプ１３を閉じ、コンベヤ５の各ローラを回転させてキャニスタ３を冷却室２の方向に移動させれば、台車１０もこれに追従して移動することができる。そしてこの移動中に地震等の振動を受けてキャニスタ３が揺れた場合には、転倒防止アーム１１がキャニスタ３の転倒を防止する。
【００１１】
上記のように台車１０はキャニスタ３に追従して自由に移動することができるが、キャニスタ３を冷却室２に収納した後は自力走行して戻れるようにしておくことが好ましい。そこでこの実施形態では、台車１０の下部にクラッチ付きの自走モータ２１が設けられている。この自走モータ２１は歯車２２を持ち、コンベヤ５の下部に設けられた直線状のラック２３と噛み合わせてある。そこで台車１０がキャニスタ３に追従して移動する際にはクラッチをオフとして歯車２２がフリー回転できるようにしておき、台車１０が戻る際にはクラッチをオンとして自走モータ２１を回転させれば、ラック２３と噛み合う歯車２２が回転するため、台車１０は任意の位置まで戻ることができる。
【００１２】
次に、図１、図２に示す装置全体の動きを説明する。
まず、新しいキャニスタ３が供給コンベヤ６からコンベヤ５上に載せられ、コンベヤ５によって溶融炉１の中心位置Ａまで搬送される。台車１０は待機位置Ｂから予め溶融炉１の中心位置Ａまで自走しており、新しいキャニスタ３が供給されると図３のように転倒防止アーム１１及び台座クランプ１３を閉じる。コンベヤ５上における台車１０の位置は機械的に決定されているため、これによって空のキャニスタ３はコンベヤ５上で溶融炉１の中心位置Ａに正しくセンタリングされる。
【００１３】
次に転倒防止アーム１１及び台座クランプ１３は開放され、キャニスタ３は昇降装置４により溶融炉１の内部まで持ち上げられ、その内部に雑固体廃棄物が投入されて溶融される。予めキャニスタ３は中心位置Ａに正しくセンタリングされているため、溶融炉１の内部に正確に挿入される。溶融の終了後、キャニスタ３は昇降装置４により降ろされてコンベヤ５上に載せられ、前記したように台車１０上の転倒防止アーム１１及び台座クランプ１３がその回りに閉じられる。この状態でコンベヤ５によりキャニスタ３は冷却室２まで搬送されるが、台車１０はキャニスタ３とともに追従して移動し、前記したようにキャニスタ３が搬送中に転倒することを防止する。キャニスタ３が冷却室２まで搬送された後、台車１０はクラッチをオンとして自走モータ２１を回転させ、元の待機位置Ｂまで戻る。
【００１４】
上記したように、本発明のキャニスタの転倒防止装置は、溶融炉１から取り出されたキャニスタ３が冷却室２まで搬送される間の転倒を確実に防止することができる。しかし溶融炉１から下降してきたキャニスタ３がコンベヤ５上に載るまでの間については、上記の装置による転倒防止は不可能である。
【００１５】
そこでこの実施形態では、図１に示したように溶融炉１の下方の昇降装置４の周囲に、多数本の垂直棒からなるガイド３０を鳥籠のように円形に配置した。この円の直径をキャニスタ３の外形よりもやや大きく設定しておけば、キャニスタ３はガイド３０の内面に沿って昇降するので、昇降中に地震等による振動を受けても転倒することがない。
【００１６】
【発明の効果】
以上に説明したように、本発明のキャニスタの転倒防止装置は溶融物を収納したキャニスタがコンベヤ上で転倒することを確実に防止することができ、転倒に伴う溶融物の飛散等の事故を未然に避けることができる。またこの装置はキャニスタのセンタリングを行う機能をも備えているので、キャニスタを溶融炉の中心に正確に挿入するうえでも効果がある。
【図面の簡単な説明】
【図１】キャニスタ搬送ライン全体の正面図である。
【図２】キャニスタ搬送ライン全体の平面図である。
【図３】キャニスタの転倒防止装置の斜視図である。
【図４】キャニスタの転倒防止装置の正面図である。
【図５】キャニスタの転倒防止装置の側面図である。
【符号の説明】
１  雑固体廃棄物の溶融炉、２  冷却室、３  キャニスタ、４  昇降装置、５コンベヤ、６  供給コンベヤ、７  排出コンベヤ、８  キャニスタ台、９  台座、１０  台車、１１  転倒防止アーム、１２  柱、１３  台座クランプ、１４シリンダ、２０  ガイド、２１  クラッチ付きの自走モータ、２２  歯車、２３  ラック、２４  ガイド
【図１】
0003691320.tif 000002
【図２】
0003691320.tif 000003
【図３】
0003691320.tif 000004
【図４】
0003691320.tif 000005
【図５】
0003691320.tif 000006